(57)【要約】 【課題】  視覚的に変化に富んだ模様を表現することができる経編地を提供する。【解決手段】  経編地は、ループが経方向Ｙに連綴される地編地１１とともに柄が編成されて構成される。地編地１１では、ループに対して弾性糸が挿入される。地編地は、前記弾性糸の緯方向Ｘの振りが互いに異なる複数種類の地編領域１２を有し、各地編領域１２が経方向Ｙに繰り返して連続する。地編地１１は、複数種類の地編領域１２として、３針以上の振りを有するサテン領域１２ａと、２針以下の振りから成るメッシュ領域１２ｂとを含む。【選択図】      図１
0003136451.tif 000002
【実用新案登録請求の範囲】
【請求項１】
ループが経方向に連綴される地編地とともに柄が編成されて構成される経編地であって、
地編地は、
ループに対して弾性糸が挿入され、
前記弾性糸の緯方向の振りが互いに異なる複数種類の地編領域を有し、各地編領域が経方向に繰り返して連続することを特徴とする経編地。
【請求項２】
地編地は、複数種類の地編領域として、３針以上の振りを有するサテン領域と、２針以下の振りから成るメッシュ領域とを含むことを特徴とする請求項１に記載の経編地。
【請求項３】
各地編領域は、経方向に関して０．５ｃｍ以上２０ｃｍ以下にわたってそれぞれ編成されることを特徴とする請求項１または２に記載の経編地。
【請求項４】
各地編領域は、２４コース以上１３００コース以下にわたってそれぞれ編成されることを特徴とする請求項１または２に記載の経編地。
【請求項５】
地編地は、各地編領域が緯方向にも繰り返して連続することを特徴とする請求項１〜４のいずれか１つに記載の経編地。
【請求項６】
各地編領域は、緯方向に関して０．５ｃｍ以上２０ｃｍ以下にわたってそれぞれ編成されることを特徴とする請求項５に記載の経編地。
【請求項７】
各地編領域は、８ウェール以上４００ウェール以下にわたってそれぞれ編成されることを特徴とする請求項５に記載の経編地。
【請求項８】
地編地には、緯方向に隣り合う地編領域間の境界部に、ループが形成されない非形成部分が存在し、
非形成部分は、柄によって埋められることを特徴とする請求項５〜７のいずれか１つに記載の経編地。
【請求項９】
地編地は、ループを形成する地組織が地編領域ごとに設定されることを特徴とする請求項１〜８のいずれか１つに記載の経編地。
【請求項１０】
地編地は、ループを形成する地組織の編糸のランナーが地編領域ごとに設定されることを特徴とする請求項１〜９のいずれか１つに記載の経編地。
【考案の詳細な説明】
【技術分野】
【０００１】
本考案は、模様が表現される経編地に関する。
【背景技術】
【０００２】
経編地では、ループが経方向に連綴される。このような経編地のなかには、ループが経方向に連綴される地編地とともに柄が編成されて構成されるものがある。地編地としては、シングルデンビ編、シングルコート編、シングルアトラス編および鎖編などの基本組織を組合せた、ハーフトリコット編、シャークスキン編、サテン編、マーキゼット編およびチュール編などが挙げられる。経編地は、たとえば、ジャカード筬を備える経編機によって編成される。このような経編地は、いわゆるジャカード柄を有し、女性用の下着などの衣料として多く用いられている。
【０００３】
従来の技術は、特許文献１に開示される。特許文献１の衣料用ジャカードレース編地は、２枚の分割ジャカード筬と地筬とによって編成される。この衣料用ジャカードレース編地では、少なくとも１枚の地筬によって非伸縮性糸（非弾性糸）を導糸し、他の少なくとも１枚の地筬によって伸縮性糸（弾性糸）を導糸して地編を構成し、２枚の分割ジャカード筬によって柄構成用糸（非弾性糸）を導糸して柄を構成する。
【０００４】
【特許文献１】特開２００２−４１５８号公報
【考案の開示】
【考案が解決しようとする課題】
【０００５】
衣料用として用いられる場合、経編地には、衣料の意匠性を高めることが求められる。前記特許文献１の技術では、２枚の分割ジャカード筬によって柄構成用糸が導糸されて柄が構成されるので、様々な模様を表現することができるけれども、さらに視覚的に変化に富んだ模様を表現することが求められる。
【０００６】
本考案の目的は、視覚的に変化に富んだ模様を表現することができる経編地を提供することである。
【課題を解決するための手段】
【０００７】
本考案は、ループが経方向に連綴される地編地とともに柄が編成されて構成される経編地であって、
地編地は、
ループに対して弾性糸が挿入され、
前記弾性糸の緯方向の振りが互いに異なる複数種類の地編領域を有し、各地編領域が経方向に繰り返して連続することを特徴とする経編地である。
【０００８】
本考案は、地編地は、複数種類の地編領域として、３針以上の振りを有するサテン領域と、２針以下の振りから成るメッシュ領域とを含むことを特徴とする。
【０００９】
本考案は、各地編領域は、経方向に関して０．５ｃｍ以上２０ｃｍ以下にわたってそれぞれ編成されることを特徴とする。
【００１０】
本考案は、各地編領域は、２４コース以上１３００コース以下にわたってそれぞれ編成されることを特徴とする。
【００１１】
本考案は、地編地は、各地編領域が緯方向にも繰り返して連続することを特徴とする。
本考案は、各地編領域は、緯方向に関して０．５ｃｍ以上２０ｃｍ以下にわたってそれぞれ編成されることを特徴とする。
【００１２】
本考案は、各地編領域は、８ウェール以上４００ウェール以下にわたってそれぞれ編成されることを特徴とする。
【００１３】
本考案は、地編地には、緯方向に隣り合う地編領域間の境界部に、ループが形成されない非形成部分が存在し、
非形成部分は、柄によって埋められることを特徴とする。
【００１４】
本考案は、地編地は、ループを形成する地組織が地編領域ごとに設定されることを特徴とする。
【００１５】
本考案は、地編地は、ループを形成する地組織の編糸のランナーが地編領域ごとに設定されることを特徴とする。
【考案の効果】
【００１６】
本考案によれば、ループが経方向に連綴される地編地とともに柄が編成されて、経編地が構成される。地編地では、ループに対して弾性糸が挿入され、これによって伸縮性を有する経編地を実現することができる。地編地は、前記弾性糸の緯方向の振りが互いに異なる複数種類の地編領域を有し、各地編領域が経方向に繰り返して連続する。
【００１７】
各地編領域では、弾性糸の緯方向の振りが互いに異なるので、弾性糸の密度が互いに異なる。このような各地編領域が経方向に繰り返して連続することによって、地編地には、経方向に変化する模様を表現することができる。このような地編地とともに柄が編成されるので、地編地によって表現される経方向の模様と柄によって表現される柄模様とによって、経編地には、視覚的に変化に富んだ模様を表現することができる。
【００１８】
また本考案によれば、地編地では、３針以上の振りを有するサテン領域と２針以下の振りから成るメッシュ領域とが、互いに隣接する。したがって地編地には、視覚的にめりはりのある模様を表現することができ、ひいては経編地には、視覚的にめりはりのある模様を表現することができる。
【００１９】
また本考案によれば、各地編領域は、経方向に関して０．５ｃｍ以上２０ｃｍ以下にわたってそれぞれ編成される。これによって経編地によって表現される模様を、視覚的に変化に富んだ模様として、人に認識させることができる。
【００２０】
０．５ｃｍ未満になると、各地編領域の経方向の寸法が小さすぎ、その結果、地編地に表現される模様は、経方向に関して大略的に一様な模様として認識されてしまう。２０ｃｍを超えると、各地編領域の経方向の寸法が大きすぎ、その結果、地編地に表現される模様は、経方向に変化がある模様として認識されない。したがって０．５ｃｍ未満であっても２０ｃｍを超えても、経編地によって表現される模様は、視覚的に変化に乏しい模様として認識されてしまう。
【００２１】
また本考案によれば、各地編領域は、２４コース以上１３００コース以下にわたってそれぞれ編成される。これによって経編地によって表現される模様を、視覚的に変化に富んだ模様として、人に認識させることができる。
【００２２】
２４コース未満になると、各地編領域の経方向の寸法が小さすぎ、その結果、地編地に表現される模様は、経方向に関して大略的に一様な模様として認識されてしまう。１３００コースを超えると、各地編領域の経方向の寸法が大きすぎ、その結果、地編地に表現される模様は、経方向に変化がある模様として認識されない。したがって２４コース未満であっても１３００コースを超えても、経編地によって表現される模様は、視覚的に変化に乏しい模様として認識されてしまう。
【００２３】
また本考案によれば、前述のような各地編領域が緯方向にも繰り返して連続することによって、地編地には、経方向だけでなく緯方向にも変化する模様を表現することができる。このような地編地とともに柄が編成されるので、地編地によって表現される経方向および緯方向の模様と柄によって表現される柄模様とによって、経編地には、視覚的にさらに変化に富んだ模様を表現することができる。
【００２４】
また本考案によれば、各地編領域は、緯方向に関して０．５ｃｍ以上２０ｃｍ以下にわたってそれぞれ編成される。これによって経編地によって表現される模様を、視覚的に変化に富んだ模様として、人に認識させることができる。
【００２５】
０．５ｃｍ未満になると、各地編領域の緯方向の寸法が小さすぎ、その結果、地編地に表現される模様は、緯方向に関して大略的に一様な模様として認識されてしまう。２０ｃｍを超えると、各地編領域の緯方向の寸法が大きすぎ、その結果、地編地に表現される模様は、緯方向に変化がある模様として認識されない。したがって０．５ｃｍ未満であっても２０ｃｍを超えても、経編地によって表現される模様は、視覚的に変化に乏しい模様として認識されてしまう。
【００２６】
また本考案によれば、各地編領域は、８ウェール以上４００ウェール以下にわたってそれぞれ編成される。これによって経編地によって表現される模様を、視覚的に変化に富んだ模様として、人に認識させることができる。
【００２７】
８ウェール未満になると、各地編領域の緯方向の寸法が小さすぎ、その結果、地編地に表現される模様は、緯方向に関して大略的に一様な模様として認識されてしまう。４００ウェールを超えると、各地編領域の緯方向の寸法が大きすぎ、その結果、地編地に表現される模様は、緯方向に変化がある模様として認識されない。したがって８ウェール未満であっても４００ウェールを超えても、経編地によって表現される模様は、視覚的に変化に乏しい模様として認識されてしまう。
【００２８】
また本考案によれば、地編地には、緯方向に隣り合う地編領域間の境界部に、ループが形成されない非形成部分が存在する。この非形成部分は、柄によって埋められる。したがって境界部での弛緩を防ぐことができる。これによって境界部に組織みだれの線が入るのを防いで、違和感を軽減することができる。
【００２９】
また本考案によれば、地編地では、ループを形成する地組織が地編領域ごとに設定される。地組織を適宜に設定することによって、視覚的なめりはりをさらに向上したり、あるいは、模様を多様化したりすることができる。
【００３０】
また本考案によれば、地編地では、ループを形成する地組織の編糸のランナーが地編領域ごとに設定される。地組織の編糸のランナーを適宜に設定することによって、視覚的なめりはりをさらに向上したり、あるいは、模様を多様化したりすることができる。
【考案を実施するための最良の形態】
【００３１】
図１は、本考案の実施の第１形態である経編地の一部を構成する地編地１１を模式的に示す図である。本実施の形態の経編地は、ループが経方向Ｙに連綴される地編地１１とともに柄が編成されて構成される。地編地１１では、ループに対して弾性糸が挿入され、これによって伸縮性を有する経編地を実現することができる。このような経編地は、たとえば女性用の下着などに用いられる。
【００３２】
地編地１１は、複数種類の地編領域１２を有する。各地編領域１２は、ループに対して挿入される弾性糸の緯方向Ｘの振りが互いに異なる。図１に示す例では、地編領域１２の種類は、２である。地編領域１２の種類は、３以上であってもよい。地編地１１では、各地編領域１２が経方向Ｙに繰り返して連続する。本実施の形態では、各地編領域１２は、緯方向Ｘに延びるように形成される。
【００３３】
各地編領域１２では、弾性糸の緯方向Ｘの振りが互いに異なるので、弾性糸の密度が互いに異なる。このような各地編領域１２が経方向Ｙに繰り返して連続することによって、地編地１１には、経方向Ｙに変化する模様、本実施の形態では縞模様を表現することができる。このような地編地１１とともに柄が編成されるので、地編地１１によって表現される縞模様と柄によって表現される柄模様とによって、経編地には、視覚的に変化に富んだ模様を表現することができる。
【００３４】
地編地１１は、地編領域１２間の境界部１３に、組織みだれが生じることがある。本実施の形態では、地編地１１とともに柄が編成されるので、柄によって前記境界部１３での組織みだれを紛らかし、これによって組織みだれによる違和感を軽減することができる。
【００３５】
柄模様は、全ての種類の地編領域１２に表現されてもよく、あるいは、各種類のうちでいずれかの種類の地編領域１２に表現されてもよい。柄によって柄模様が表現されていない地編領域１２には、柄によって無地が表現されている。柄模様は、１つの地編領域１２内で完結するように表現されてもよく、あるいは、隣り合う複数の地編領域１２にわたって表現されてもよい。
【００３６】
図１に示す例では、地編地１１は、複数種類の地編領域１２として、サテン領域１２ａとメッシュ領域１２ｂとを含む。サテン領域１２ａは、厚地領域である。サテン領域１２ａは、３針以上の振り、詳しくは３針以上５針以下の振りを有する。換言すれば、サテン領域１２ａは、３以上のウェール間、詳しくは３以上５以下のウェール間にわたって弾性糸が振られる。図１では、サテン領域１２ａには、斜線を付している。メッシュ領域１２ｂは、薄地領域である。メッシュ領域１２ｂは、２針以下の振り、詳しくは１針以上２針以下の振りから成る。換言すれば、メッシュ領域１２ｂは、２以下のウェール間、詳しくは１以上２以下のウェール間にわたって弾性糸が振られる。地編地１１では、サテン領域１２ａとメッシュ領域１２ｂとが互いに隣接する。したがって地編地１１には、視覚的にめりはりのある模様を表現することができ、ひいては経編地には、視覚的にめりはりのある模様を表現することができる。
【００３７】
各地編領域１２は、経方向Ｙに関して０．５ｃｍ以上２０ｃｍ以下にわたってそれぞれ編成される。０．５ｃｍ未満になると、各地編領域１２の経方向Ｙの寸法が小さすぎ、その結果、地編地１１に表現される模様は、経方向Ｙに関して大略的に一様な模様として認識されてしまう。２０ｃｍを超えると、各地編領域１２の経方向Ｙの寸法が大きすぎ、その結果、地編地１１に表現される模様は、経方向Ｙに変化がある模様として認識されない。したがって０．５ｃｍ未満であっても２０ｃｍを超えても、経編地によって表現される模様は、視覚的に変化に乏しい模様として認識されてしまう。この点を踏まえて、前述のように各地編領域１２を編成し、これによって経編地によって表現される模様を、視覚的に変化に富んだ模様として、人に認識させることができる。好ましくは、各地編領域１２は、経方向Ｙに関して０．８ｃｍ以上１０ｃｍ以下にわたって編成される。
【００３８】
コース数で規定すると、各地編領域１２は、２４コース以上１３００コース以下にわたってそれぞれ編成される。２４コース未満になると、各地編領域１２の経方向Ｙの寸法が小さすぎ、その結果、地編地１１に表現される模様は、経方向Ｙに関して大略的に一様な模様として認識されてしまう。１３００コースを超えると、各地編領域１２の経方向Ｙの寸法が大きすぎ、その結果、地編地１１に表現される模様は、経方向Ｙに変化がある模様として認識されない。したがって２４コース未満であっても１３００コースを超えても、経編地によって表現される模様は、視覚的に変化に乏しい模様として認識されてしまう。この点を踏まえて、前述のように各地編領域１２を編成し、これによって経編地によって表現される模様を、視覚的に変化に富んだ模様として、人に認識させることができる。好ましくは、各地編領域１２は、３８コース以上６５０コース以下にわたって編成される。
【００３９】
経編地では、編成条件が地編領域１２ごとに適宜に設定される。編成条件は、ランナーおよび機上打込などを含む。編成条件が地編領域１２ごとに適宜に設定されることによって、各地編領域１２において必要な、物性、性量、品位および目付けを得ることができる。
【００４０】
地編地１１は、地組織と挿入組織とによって構成され、柄は、柄組織によって構成される。地組織は、ループを形成する編糸によって構成される。挿入組織は、地組織のループに挿入される挿入糸によって構成される。柄組織は、柄を構成する柄糸によって構成される。
【００４１】
地組織は、非弾性糸によって構成される。換言すれば、地組織を構成する編糸は、非弾性糸である。地組織用の非弾性糸としては、ナイロン糸などが挙げられる。地組織は、１枚の筬を用いて編成されてもよく、あるいは、複数枚の筬を用いて編成されてもよい。
【００４２】
挿入組織は、弾性糸によって構成される。換言すれば、挿入組織を構成する挿入糸は、弾性糸である。挿入組織用の弾性糸としては、スパンデックスなどのポリウレタン糸などが挙げられる。挿入組織は、１枚の筬を用いて編成されてもよく、あるいは、複数枚の筬を用いて編成されてもよい。
【００４３】
柄組織は、非弾性糸によって構成される。換言すれば、柄組織を構成する柄糸は、非弾性糸である。柄組織用の非弾性糸としては、ナイロン糸などが挙げられる。柄組織は、１枚の筬を用いて編成されてもよく、あるいは、複数枚の筬を用いて編成されてもよい。
【００４４】
図２は、地組織を説明するための組織図である。図２（１）は地組織用の第１組織を示し、図２（２）は地組織用の第２組織を示し、図２（３）は地組織用の第３組織を示す。本実施の形態では、地組織として、地組織用の第１〜第３組織が選択的に用いられる。地組織用の各組織は、編糸となる非弾性糸の密度が互いに異なる。
【００４５】
地組織用の第１組織は、図２（１）に示すように、１ウェールでの組織である。地組織用の第２組織は、図２（２）に示すように、２ウェールにわたる組織であり、地組織用の第１組織よりも、編糸となる非弾性糸の密度が高い。地組織用の第３組織は、図２（３）に示すように、３ウェールにわたる組織であり、地組織用の第２組織よりも、編糸となる非弾性糸の密度が高い。これらの地組織用の各組織は、以下のように表される。
地組織用の第１組織  ：  ０−１／１−０
地組織用の第２組織  ：  １−２／２−１／１−２／１−０／０−１／１−０
地組織用の第３組織  ：  ２−１／２−３／２−１／１−２／１−０／１−２
【００４６】
図２に示される地組織用の各組織は例示に過ぎず、地組織用の組織は、前述の各組織に限定されるものではない。地組織用の組織は、たとえば４ウェール以上にわたる組織であってもよい。以下、番号間の「−」を省略する。
【００４７】
地組織は、地編領域１２の種類によらずに同一に設定してもよく、あるいは、地編領域１２ごとに設定してもよい。地編領域１２の種類によって地組織を適宜に設定することによって、視覚的なめりはりをさらに向上したり、あるいは、模様を多様化したりすることができる。
【００４８】
地組織の編糸のランナーは、地編領域１２の種類によらずに同一に設定してもよく、あるいは、地編領域１２ごとに設定してもよい。地組織の編糸のランナーを適宜に設定することによっても、視覚的なめりはりをさらに向上したり、あるいは、模様を多様化したりすることができる。たとえば、サテン領域では、メッシュ領域に比べて、地組織の編糸のランナーを大きくすることによって、サテン領域とメッシュ領域との糸の密度差を大きくして、視覚的なめりはりをさらに向上することができる。
【００４９】
図３は、挿入組織を説明するための組織図である。図３（１）は、挿入組織用の第１組織を示し、図３（２）は、挿入組織用の第２組織を示し、図３（３）は、挿入組織用の第３組織を示す。本実施の形態では、挿入組織として、挿入組織用の第１〜第３組織が選択的に用いられる。挿入組織用の各組織は、挿入糸となる弾性糸の密度が互いに異なる。
【００５０】
挿入組織用の第１組織は、図３（１）に示すように、１ウェールでの組織であり、いわゆる１針振りの組織である。挿入組織用の第２組織は、図３（２）に示すように、２ウェール間にわたる組織であり、いわゆる２針振りの組織であり、挿入組織用の第１組織よりも、挿入糸となる弾性糸の密度が高い。挿入組織用の第３組織は、図３（３）に示すように、３ウェール間にわたる組織であり、いわゆる３針振りの組織であり、挿入組織用の第２組織よりも、挿入糸となる弾性糸の密度が高い。これらの挿入組織用の各組織は、以下のように表される。
挿入組織用の第１組織  ：  １１／００
挿入組織用の第２組織  ：  ２２／１１／２２／００／１１／００
挿入組織用の第３組織  ：  ３３／１１／２２／００／２２／１１
【００５１】
図３に示される挿入組織用の各組織は例示に過ぎず、挿入組織用の組織は、前述の各組織に限定されるものではない。挿入組織用の組織は、たとえば４ウェール以上にわたる組織であってもよい。
【００５２】
挿入組織は、地編領域１２ごとに設定される。地編領域１２の種類によって挿入組織を適宜に設定することによって、視覚的なめりはりを向上したり、あるいは、模様を多様化したりすることができる。
【００５３】
挿入組織の挿入糸のランナーは、地編領域１２の種類によらずに同一に設定してもよく、あるいは、地編領域１２ごとに設定してもよい。挿入組織の挿入糸のランナーを適宜に設定することによっても、視覚的なめりはりをさらに向上したり、あるいは、模様を多様化したりすることができる。
【００５４】
図４は、柄組織を説明するための組織図である。図４には、柄組織の一例を示す。図４（１）は柄組織用の基本組織を示し、図４（２）は柄組織用の第１変化組織を示し、図４（３）は柄組織用の第２変化組織を示し、図４（４）は柄組織用の第３変化組織を示す。本実施の形態では、柄組織として、柄組織用の基本組織と柄組織用の第１〜第３変化組織とが選択的に用いられる。柄組織用の各組織は、柄糸となる非弾性糸の密度が互いに異なる。
【００５５】
柄組織用の基本組織は、図４（１）に示すように、１ウェールでの組織である。柄組織用の第１変化組織は、図４（２）に示すように、２ウェール間にわたる組織であり、厚地組織である。柄組織用の第２変化組織は、図４（３）に示すように、２ウェール間にわたる組織であり、中厚地組織であり、柄組織用の第１変化組織よりも、柄糸となる非弾性糸の密度が低い。柄組織用の第３変化組織は、図４（４）に示すように、２ウェール間にわたる組織であり、穴地組織である。これらの柄組織用の各組織は、以下のように表される。
柄組織用の基本組織  ：  ０１／１０
柄組織用の第１変化組織  ：  １２／１０
柄組織用の第２変化組織  ：  １２／２１／１２／１０／０１／１０
柄組織用の第３変化組織  ：  ２１／１２／２１／０１／１０／０１
【００５６】
図５は、柄組織を説明するための組織図である。図５には、柄組織の他の例を示す。図５（１）は柄組織の基本組織を示し、図５（２）は柄組織用の第１変化組織を示し、図５（３）は柄組織用の第２変化組織を示し、図５（４）は柄組織用の第３変化組織を示す。本実施の形態では、柄組織として、柄組織用の基本組織と柄組織用の第１〜第３変化組織とが選択的に用いられる。柄組織用の各組織は、柄糸となる非弾性糸の密度が互いに異なる。
【００５７】
柄組織用の基本組織は、図５（１）に示すように、２ウェールでの組織である。柄組織用の第１変化組織は、図５（２）に示すように、３ウェール間にわたる組織であり、厚地組織である。柄組織用の第２変化組織は、図５（３）に示すように、３ウェール間にわたる組織であり、中厚地組織であり、柄組織用の第１変化組織よりも、柄糸となる非弾性糸の密度が低い。柄組織用の第３変化組織は、図５（４）に示すように、１ウェールでの組織であり、穴地組織である。これらの柄組織用の各組織は、以下のように表される。
柄組織用の基本組織  ：  １２／１０
柄組織用の第１変化組織  ：  ２３／１０
柄組織用の第２変化組織  ：  ２３／１０／１２／１０／２３／２１
柄組織用の第３変化組織  ：  ０１／１０
【００５８】
図４および図５に示される柄組織用の各組織は例示に過ぎず、柄組織用の組織は、前述の各組織に限定されるものではない。柄組織用の組織は、たとえば４ウェール以上にわたる組織であってもよい。
【００５９】
柄組織用の基本組織は、地編領域１２の種類によらずに同一に設定してもよく、あるいは、地編領域１２ごとに設定してもよい。地編領域１２の種類によって柄組織用の基本組織を適宜に設定することによって、視覚的なめりはりをさらに向上したり、あるいは、模様を多様化したりすることができる。
【００６０】
柄組織の柄糸のランナーは、地編領域１２の種類によらずに同一に設定してもよく、あるいは、地編領域１２ごとに設定してもよい。柄組織の柄糸のランナーを適宜に設定することによっても、視覚的なめりはりをさらに向上したり、あるいは、模様を多様化したりすることができる。
【００６１】
図６は、本考案の実施の第２形態である経編地の一部を構成する地編地２１を模式的に示す図である。本実施の形態の経編地は、前述の第１形態の経編地に類似するので、異なる点についてだけ説明する。地編地２１では、各地編領域１２が緯方向Ｘにも繰り返して連続する。各地編領域１２は、大略的に正方形状に形成される。
【００６２】
前述の第１形態で述べたように、各地編領域１２では、弾性糸の緯方向Ｘの振りが互いに異なるので、弾性糸の密度が互いに異なる。このような各地編領域１２が緯方向Ｘにも繰り返して連続することによって、地編地２１には、経方向Ｙだけでなく緯方向Ｘにも変化する模様、具体的には市松模様を表現することができる。このような地編地２１とともに柄が編成されるので、地編地２１によって表現される市松模様と柄によって表現される柄模様とによって、経編地には、視覚的にさらに変化に富んだ模様を表現することができる。
【００６３】
各地編領域１２は、緯方向Ｘに関して０．５ｃｍ以上２０ｃｍ以下にわたってそれぞれ編成される。０．５ｃｍ未満になると、各地編領域１２の緯方向Ｘの寸法が小さすぎ、その結果、地編地２１に表現される模様は、緯方向Ｘに関して大略的に一様な模様として認識されてしまう。２０ｃｍを超えると、各地編領域１２の緯方向Ｘの寸法が大きすぎ、その結果、地編地２１に表現される模様は、緯方向Ｘに変化がある模様として認識されない。したがって０．５ｃｍ未満であっても２０ｃｍを超えても、経編地によって表現される模様は、視覚的に変化に乏しい模様として認識されてしまう。この点を踏まえて、前述のように各地編領域１２を編成し、これによって経編地によって表現される模様を、視覚的に変化に富んだ模様として、人に認識させることができる。好ましくは、各地編領域１２は、緯方向Ｘに関して０．８ｃｍ以上１０ｃｍ以下にわたって編成される。
【００６４】
ウェール数で規定すると、各地編領域１２は、８ウェール以上４００ウェール以下にわたってそれぞれ編成される。８ウェール未満になると、各地編領域１２の緯方向Ｘの寸法が小さすぎ、その結果、地編地２１に表現される模様は、緯方向Ｘに関して大略的に一様な模様として認識されてしまう。４００ウェールを超えると、各地編領域１２の緯方向Ｘの寸法が大きすぎ、その結果、地編地２１に表現される模様は、緯方向Ｘに変化がある模様として認識されない。したがって８ウェール未満であっても４００ウェールを超えても、経編地によって表現される模様は、視覚的に変化に乏しい模様として認識されてしまう。この点を踏まえて、前述のように各地編領域１２を編成し、これによって経編地によって表現される模様を、視覚的に変化に富んだ模様として、人に認識させることができる。好ましくは、各地編領域１２は、１３ウェール以上２００ウェール以下にわたってそれぞれ編成される。
【００６５】
前述の経編地１１，２１は、たとえばラッシェル編機によって編成される。ラッシェル編機としては、たとえば、分割式ジャカード筬が２枚、地筬が３枚のコンピュータジャカードラッセル機（ＲＳＪ４／１、カールマイヤー社製）、および、分割式ジャカード筬が２枚、地筬が４枚のコンピュータジャカードラッセル機（ＲＳＪ５／１、カールマイヤー社製）などが挙げられる。
【００６６】
図７は、地編地２１の各地編領域１２の収縮を示す図である。サテン領域１２ａは緯方向Ｘに収縮し、メッシュ領域は緯方向Ｘに伸長する。そのため、緯方向Ｘに隣り合うサテン領域１２ａおよびメッシュ領域１２ｂの境界部２３では、境目が湾曲して、図７に示すように、経方向Ｙに連なる各境目が蛇行してしまう。また場合によっては、組織みだれの線が入ることがある。本実施の形態では、地編地２１とともに柄が編成されるので、柄によって前記境界部２３での境目の湾曲および組織みだれを紛らかし、これによって境目の湾曲および組織みだれによる違和感を軽減することができる。
【００６７】
図８は、ラッシェル編機が備える編成部３１を示す側面図である。編成部３１は、１列に並べられてニードルバー３２に固定される多数の編み針３３と、各編み針３３の近傍の編成位置に向けて導糸する導糸手段３４とを有する。
【００６８】
導糸手段３４は、複数の筬を含む。各筬は、多数のガイドが１列に並べられてガイドバーに固定されて構成される。各筬には、ランナーを多段階に調整するランナー調整装置がそれぞれ設けられる。図８に示すラッシェル編機では、導糸手段３４は、柄を編成するための２枚の分割式ジャカード筬Ｊ−１，Ｊ−２と、地編地１１を編成するための３枚の地筬Ｌ２，Ｌ３，Ｌ４とを含む。
【００６９】
各分割式ジャカード筬Ｊ−１，Ｊ−２は、１針おきの交互配列、すなわち１針ずらした１イン１アウトの配列をなすように分割構成され、前後に隣接して配置される。各分割式ジャカード筬Ｊ−１，Ｊ−２は、筬の運動とは別に、各ガイドがさらに編み針３３ピッチの１針分、緯方向Ｘに変位できるように設けられる。このような各ガイドが変位プログラムに従って制御されることによって、所望の柄が編成される。
【００７０】
各編み針３３は、一体となって上下運動を行う。各筬Ｊ−１，Ｊ−２，Ｌ２，Ｌ３，Ｌ４は、各編み針３３の上下運動に同期して、スイングモーションとラッピングモーションとを行う。これらの各編み針３３および各筬Ｊ−１，Ｊ−２，Ｌ２，Ｌ３，Ｌ４の運動によって、経編地が編成される。
【００７１】
編成部３１は、トングバー３６と、ステッチコームバー３７と、トリックプレートバー３８とをさらに有する。トングバー３６には、編み針３３のフックを閉じるためのトングが固定される。ラッシェル編機は、ステッチコームバー３７の編成補助作用によって、編成された経編地を補助編成し、トリックプレートバー３８を通過させて、編成部３１の近傍に設けられる巻取装置によって、経編地を巻き取る。
【００７２】
図９は、ラッシェル編機が備える編成部４１を示す側面図である。図９に示すラッシェル編機は、図８に示すラッシェル編機に類似するので、異なる点についてだけ説明する。図９に示すラッシェル編機は、導糸手段３４として、２枚の分割式ジャカード筬Ｊ−１，Ｊ−２と、４枚の地筬Ｌ２，Ｌ３，Ｌ４，Ｌ５とを有する。図９に示すラッシェル編機は、地筬が４枚であること以外は、図８に示すラッシェル編機と同様である。
【００７３】
以下に実施例を挙げ、前述の実施の各形態を具体的に説明する。第１〜第３実施例は、前述の第１形態の具体例である。第４および第５実施例は、前述の第２形態の具体例である。各実施例の経編地は、たとえば、図９に示すラッシェル編機を用いて編成される。
【００７４】
第１〜第５実施例では、ラッシェル編機の編成条件が、第１編成条件と第２編成条件とに交互に切り換えられる。第１編成条件は、所定のコース数にわたって継続され、第２編成条件は、所定のコース数にわたって継続される。第１編成条件が継続されるコース数と第２編成条件が継続されるコース数とは、同一であってもよく、あるいは、異なっていてもよい。
【００７５】
［第１実施例］
図１０は、第１実施例の経編地を説明するための図である。図１０（１）は組織図を示し、図１０（２）は糸通し図を示す。図１０（１）において、下方寄りの部分１ａには、第１編成条件に係る組織図を示し、上方寄りの部分１ｂには、第２編成条件に係る組織図を示す。
【００７６】
各分割式ジャカード筬Ｊ−１，Ｊ−２には、柄組織用の非弾性糸が通糸される。第１の地筬Ｌ２には、地組織用の非弾性糸がフルセットで通糸される。第２の地筬Ｌ３には、挿入組織用の弾性糸がフルセットで通糸される。このような本実施例では、第２の地筬Ｌ３によって、ループに対して弾性糸が挿入される。
【００７７】
柄組織用の非弾性糸および地組織用の非弾性糸としては、たとえば、３３デシテックス、２６フィラメントのナイロン糸（Ｎｙ３３Ｔ／２６−２Ｍ９４、東レ社製）が用いられる。挿入組織用の弾性糸としては、たとえば、２３５デシテックスのスパンデックス（ロイカ２３５Ｔ−Ｃ８０５、旭化成せんい社製）が用いられる。
【００７８】
第１編成条件は、たとえば２１ｍｍ、コース数で規定すると１２０コースにわたって継続される。第１編成条件では、機上打込を８０．２４コース／インチとする。柄組織用の非弾性糸のランナーは１２３０ｍｍ／ラックとし、地組織用の非弾性糸のランナーは１０９０ｍｍ／ラックとし、挿入組織用の弾性糸のランナーは１２８ｍｍ／ラックとする。挿入組織用の弾性糸は、ドラフト率１００％で用いる。各筬による編成組織は、以下のように表される。
Ｊ  ：  １０／０１／１０／０１／１０／０１
Ｌ２  ：  １２／２１／１２／１０／０１／１０
Ｌ３  ：  ３３／１１／２２／００／２２／１１
【００７９】
このような第１編成条件で編成された領域では、第２の地筬Ｌ３によって編成される挿入組織は３針振りの組織である。したがって、この領域はサテン領域となる。
【００８０】
第２編成条件は、たとえば１７ｍｍ、コース数で規定すると９６コースにわたって継続される。第２編成条件では、機上打込を８０．２４コース／インチとする。柄組織用の非弾性糸のランナーは１０３０ｍｍ／ラックとし、地組織用の非弾性糸のランナーは９２０ｍｍ／ラックとし、挿入組織用の弾性糸のランナーは１２８ｍｍ／ラックとする。挿入組織用の弾性糸は、ドラフト率１００パーセントで用いられる。各筬による編成組織は、以下のように表される。
Ｊ  ：  １０／０１／１０／０１／１０／０１
Ｌ２  ：  １２／２１／１２／１０／０１／１０
Ｌ３  ：  ３３／２２／３３／１１／２２／１１
【００８１】
このような第２編成条件で編成された領域では、第２の地筬Ｌ３によって編成される挿入組織は２針振りの組織である。したがって、この領域はメッシュ領域となる。
【００８２】
［第２実施例］
図１１は、第２実施例の経編地を説明するための図である。図１１（１）は組織図を示し、図１１（２）は糸通し図を示す。図１１（１）において、下方寄りの部分２ａには、第１編成条件に係る組織図を示し、上方寄りの部分２ｂには、第２編成条件に係る組織図を示す。
【００８３】
各分割式ジャカード筬Ｊ−１，Ｊ−２には、柄組織用の非弾性糸が通糸される。第１の地筬Ｌ２には、地組織用の非弾性糸がフルセットで通糸される。第２の地筬Ｌ３には、挿入組織用の第１の弾性糸がフルセットで通糸される。第３の地筬Ｌ４には、挿入組織用の第２の弾性糸がフルセットで通糸される。このような本実施例では、第２および第３の地筬Ｌ３，Ｌ４によって、ループに対して弾性糸が挿入される。
【００８４】
柄組織用の非弾性糸および地組織用の非弾性糸としては、たとえば、３３デシテックス、２６フィラメントのナイロン糸（Ｎｙ３３Ｔ／２６−２Ｍ９４、東レ社製）が用いられる。挿入組織用の第１の弾性糸としては、たとえば、２３５デシテックスのスパンデックス（ロイカ２３５Ｔ−Ｃ８０５、旭化成せんい社製）が用いられる。挿入組織用の第２の弾性糸としては、たとえば、４４デシテックスのスパンデックス（ロイカ４４Ｔ−Ｃ８０４、旭化成せんい社製）が用いられる。
【００８５】
第１編成条件は、たとえば２６ｍｍ、コース数で規定すると１５０コースにわたって継続される。各筬による編成組織は、以下のように表される。
Ｊ  ：  １０／０１／１０／０１／１０／０１
Ｌ２  ：  １２／２１／１２／１０／０１／１０
Ｌ３  ：  ２２／００／１１／００／２２／１１
Ｌ４  ：  ３３／１１／２２／００／２２／１１
【００８６】
このような第１編成条件で編成された領域では、第２の地筬Ｌ３によって編成される挿入組織は２針振りの組織であり、第３の地筬Ｌ４によって編成される挿入組織は３針振りの組織である。したがって、この領域はサテン領域となる。
【００８７】
第２編成条件は、たとえば３６ｍｍ、コース数で規定すると２１０コースにわたって継続される。各筬による編成組織は、以下のように表される。
Ｊ  ：  １０／１２／１０／１２／１０／１２
Ｌ２  ：  １２／２１／１２／２１／１２／２１
Ｌ３  ：  ２２／１１／２２／１１／２２／１１
Ｌ４  ：  ２２／１１／２２／１１／２２／１１
【００８８】
このような第２編成条件で編成された領域では、第２の地筬Ｌ３によって編成される挿入組織は１針振りの組織であり、第３の地筬Ｌ４によって編成される挿入組織は１針振りの組織である。したがって、この領域はメッシュ領域となる。
【００８９】
［第３実施例］
図１２は、第３実施例の経編地を説明するための図である。図１２（１）は組織図を示し、図１２（２）は糸通し図を示す。図１２（１）において、下方寄りの部分３ａには、第１編成条件に係る組織図を示し、上方寄りの部分３ｂには、第２編成条件に係る組織図を示す。
【００９０】
各分割式ジャカード筬Ｊ−１，Ｊ−２には、柄組織用の非弾性糸が通糸される。第１の地筬Ｌ２には、地組織用の第１の非弾性糸が１イン１アウトで通糸される。第２の地筬Ｌ３には、地組織用の第１の非弾性糸に対して１ウェール分ずれるように、地組織用の第２の非弾性糸が、１イン１アウトで通糸される。第３の地筬Ｌ４には、挿入組織用の弾性糸がフルセットで通糸される。このような本実施例では、第３の地筬Ｌ４によって、ループに対して弾性糸が挿入される。
【００９１】
柄組織用の非弾性糸および地組織用の各非弾性糸としては、たとえば、３３デシテックス、２６フィラメントのナイロン糸（Ｎｙ３３Ｔ／２６−２Ｍ９４、東レ社製）が用いられる。挿入組織用の弾性糸としては、たとえば、２３５デシテックスのスパンデックス（ロイカ２３５Ｔ−Ｃ８０５、旭化成せんい社製）が用いられる。
【００９２】
第１編成条件は、たとえば２１ｍｍ、コース数で規定すると１２０コースにわたって継続される。各筬による編成組織は、以下のように表される。
Ｊ  ：  １２／１０／１２／１０／１２／１０
Ｌ２  ：  ２１／２３／２１／１２／１０／１２
Ｌ３  ：  ２１／２３／２１／１２／１０／１２
Ｌ４  ：  １１／３３／１１／２２／００／２２
【００９３】
このような第１編成条件で編成された領域では、第３の地筬Ｌ４によって編成される挿入組織は３針振りの組織である。したがって、この領域はサテン領域となる。
【００９４】
第２編成条件は、たとえば１７ｍｍ、コース数で規定すると９６コースにわたって継続される。各筬による編成組織は、以下のように表される。
Ｊ  ：  １２／１０／１２／１０／１２／１０
Ｌ２  ：  ２１／２３／２１／１２／１０／１２
Ｌ３  ：  １２／１０／１２／２１／２３／２１
Ｌ４  ：  １１／２２／１１／２２／１１／２２
【００９５】
このような第２編成条件で編成された領域では、第３の地筬Ｌ４によって編成される挿入組織は１針振りの組織である。したがって、この領域はメッシュ領域となる。
【００９６】
［第４実施例］
図１３は、第４実施例の経編地を説明するための図である。図１３（１）は組織図を示し、図１３（２）は糸通し図を示す。図１３（１）において、下方寄りの部分４ａには、第１編成条件に係る組織図を示し、上方寄りの部分４ｂには、第２編成条件に係る組織図を示す。
【００９７】
各分割式ジャカード筬Ｊ−１，Ｊ−２には、柄組織用の非弾性糸が通糸される。第１の地筬Ｌ２には、地組織用の第１の非弾性糸が選択的に通糸される。第２の地筬Ｌ３には、地組織用の第２の非弾性糸が選択的に通糸される。第３の地筬Ｌ４には、挿入組織用の第１の弾性糸が選択的に通糸される。第４の地筬Ｌ５には、挿入組織用の第２の弾性糸が選択的に通糸される。このような本実施例では、第３および第４の地筬Ｌ４，Ｌ５によって、ループに対して弾性糸が挿入される。
【００９８】
第１〜第４の地筬Ｌ２〜Ｌ５では、通糸されるガイドから成る通糸ガイド群と、通糸されないガイドから成る非通糸ガイド群とが、緯方向に交互に配置される。通糸ガイド群は、所定の本数のガイドから成り、非通糸ガイド群は、所定の本数のガイドから成る。通糸ガイド群のガイドの本数と非通糸ガイド群のガイドの本数とは、同一であってもよく、あるいは、異なっていてもよい。
【００９９】
第１および第２の地筬Ｌ２，Ｌ３については、第１の地筬Ｌ２の通糸ガイド群と第２の地筬Ｌ３の非通糸ガイド群とが緯方向に関して同一位置に配置され、第１の地筬Ｌ２の非通糸ガイド群と第２の地筬Ｌ３の通糸ガイド群とが緯方向に関して同一位置に配置される。第１の地筬Ｌ２において、通糸ガイド群は、たとえば６０本のガイドから成り、非通糸ガイド群は、たとえば７６本のガイドから成る。
【０１００】
第３および第４の地筬Ｌ４，Ｌ５については、第３の地筬Ｌ４の通糸ガイド群と第４の地筬Ｌ５の非通糸ガイド群とが緯方向に関して同一位置に配置され、第３の地筬Ｌ４の非通糸ガイド群と第４の地筬Ｌ５の通糸ガイド群とが緯方向に関して同一位置に配置される。第３の地筬Ｌ４において、通糸ガイド群は、たとえば６０本のガイドから成り、非通糸ガイド群は、たとえば７６本のガイドから成る。また第３の地筬Ｌ４の通糸ガイド群は、第１の地筬Ｌ２の通糸ガイド群に対して、１ウェール分ずれるように配置される。
【０１０１】
柄組織用の非弾性糸および地組織用の各非弾性糸としては、たとえば、３３デシテックス、２６フィラメントのナイロン糸（Ｎｙ３３Ｔ／２６−２Ｍ９４、東レ社製）が用いられる。挿入組織用の各弾性糸としては、たとえば、２３５デシテックスのスパンデックス（ロイカ２３５Ｔ−Ｃ８０５、旭化成せんい社製）が用いられる。
【０１０２】
第１編成条件は、たとえば４９ｍｍ、コース数で規定すると２８０コースにわたって継続される。各筬による編成組織は、以下のように表される。
Ｊ  ：  １２／１０／１２／１０／１２／１０
Ｌ２  ：  ２１／２３／２１／１２／１０／１２
Ｌ３  ：  ２１／１２／２１／１２／２１／１２
Ｌ４  ：  １１／３３／１１／２２／００／２２
Ｌ５  ：  １１／２２／１１／２２／１１／２２
【０１０３】
このような第１編成条件で編成された領域は、第１および第３の地筬Ｌ２，Ｌ４によって編成される領域と、第２および第４の地筬Ｌ３，Ｌ５によって編成される領域とを有する。第１および第３の地筬Ｌ２，Ｌ４によって編成される領域では、第３の地筬Ｌ４によって編成される挿入組織は３針振りの組織である。したがって、この領域はサテン領域となる。第２および第４の地筬Ｌ３，Ｌ５によって編成される領域では、第４の地筬Ｌ５によって編成される挿入組織は１針振りの組織である。したがって、この領域はメッシュ領域となる。
【０１０４】
第２編成条件は、たとえば３５ｍｍ、コース数で規定すると２００コースにわたって継続される。各筬による編成組織は、以下のように表される。
Ｊ  ：  １２／１０／１２／１０／１２／１０
Ｌ２  ：  ２１／１２／２１／１２／２１／１２
Ｌ３  ：  ２１／２３／２１／１２／１０／１２
Ｌ４  ：  １１／２２／１１／２２／１１／２２
Ｌ５  ：  １１／３３／１１／２２／００／２２
【０１０５】
このような第２編成条件で編成された領域は、第１および第３の地筬Ｌ２，Ｌ４によって編成される領域と、第２および第４の地筬Ｌ３，Ｌ５によって編成される領域とを有する。第１および第３の地筬Ｌ２，Ｌ４によって編成される領域では、第３の地筬Ｌ４によって編成される挿入組織は１針振りの組織である。したがって、この領域はメッシュ領域となる。第２および第４の地筬Ｌ３，Ｌ５によって編成される領域では、第４の地筬Ｌ５によって編成される挿入組織は３針振りの組織である。したがって、この領域はサテン領域となる。
【０１０６】
図１４は、地編地の一部を拡大して示す組織図である。図１４では、図が煩雑になるのを避けるために、柄組織および挿入組織を省略し、地組織だけを示す。本実施例では、地編地には、緯方向に隣り合う地編領域間の境界部５１に、ループが形成されない非形成部分５２が存在する。非形成部分５２は、柄によって埋められる。換言すれば、非形成部分５２には、柄組織によるループが形成される。したがって境界部５１での弛緩を防ぐことができる。これによって境界部５１に組織みだれの線が入るのを防いで、違和感を軽減することができる。
【０１０７】
［第５実施例］
図１５は、第５実施例の経編地を説明するための図である。図１５（１）は組織図であり、図１５（２）は糸通し図である。図１５（１）において、下方寄りの部分５ａには、第１編成条件に係る組織図を示し、上方寄りの部分５ｂには、第２編成条件に係る組織図を示す。
【０１０８】
各分割式ジャカード筬Ｊ−１，Ｊ−２には、柄組織用の非弾性糸が通糸される。第１の地筬Ｌ２には、地組織用の非弾性糸がフルセットで通糸される。第２の地筬Ｌ３には、挿入組織用の第１の非弾性糸が選択的に通糸される。第３の地筬Ｌ４には、挿入組織用の第２の弾性糸が選択的に通糸される。第４の地筬Ｌ５には、挿入組織用の第３の弾性糸がフルセットで通糸される。このような本実施例では、第２〜第４の地筬Ｌ３〜Ｌ５によって、ループに対して弾性糸が挿入される。
【０１０９】
第２および第３の地筬Ｌ３，Ｌ４では、通糸されるガイドから成る通糸ガイド群と、通糸されないガイドから成る非通糸ガイド群とが、緯方向に交互に配置される。通糸ガイド群は、所定の本数のガイドから成り、非通糸ガイド群は、所定の本数のガイドから成る。通糸ガイド群のガイドの本数と非通糸ガイド群のガイドの本数とは、同一であってもよく、あるいは、異なっていてもよい。
【０１１０】
第２および第３の地筬Ｌ３，Ｌ４については、第２の地筬Ｌ３の通糸ガイド群と第３の地筬Ｌ４の非通糸ガイド群とが緯方向に関して同一位置に配置され、第２の地筬Ｌ３の非通糸ガイド群と第３の地筬Ｌ４の通糸ガイド群とが緯方向に関して同一位置に配置される。第２の地筬Ｌ３において、通糸ガイド群は、たとえば６０本のガイドから成り、非通糸ガイド群は、たとえば６０本のガイドから成る。
【０１１１】
柄組織用の非弾性糸および地組織用の非弾性糸としては、たとえば、３３デシテックス、２６フィラメントのナイロン糸（Ｎｙ３３Ｔ／２６−２Ｍ９４、東レ社製）が用いられる。挿入組織用の第１および第２の弾性糸としては、たとえば、２３５デシテックスのスパンデックス（ロイカ２３５Ｔ−Ｃ８０５、旭化成せんい社製）が用いられる。挿入組織用の第３の弾性糸としては、たとえば４４デシテックスのスパンデックス（ロイカ４４Ｔ−Ｃ８０４、旭化成せんい社製）が用いられる。
【０１１２】
第１編成条件は、たとえば２２８コースにわたって継続される。各筬による編成組織は、以下のように表される。
Ｊ  ：  ０１／１０／０１／１０／０１／１０
Ｌ２  ：  １２／２１／１２／１０／０１／１０
Ｌ３  ：  ３３／１１／２２／００／２２／１１
Ｌ４  ：  ３３／２２／３３／１１／２２／１１
Ｌ５  ：  ２２／１１／２２／００／１１／００
【０１１３】
このような第１編成条件で編成された領域は、第２の地筬Ｌ３によって編成される領域と、第３の地筬Ｌ４によって編成される領域とを有する。第２の地筬Ｌ３によって編成される領域では、第２の地筬Ｌ３によって編成される挿入組織は３針振りの組織であり、第４の地筬Ｌ５によって編成される挿入組織は２針振りの組織である。したがって、この領域はサテン領域となる。第３の地筬Ｌ４によって編成される領域では、第３の地筬Ｌ４によって編成される挿入組織は２針振りの組織であり、第４の地筬Ｌ５によって編成される挿入組織は２針振りの組織である。したがって、この領域はメッシュ領域となる。
【０１１４】
第２編成条件は、たとえば２２８コースにわたって継続される。各筬による編成組織は、以下のように表される。
Ｊ  ：  ０１／１０／０１／１０／０１／１０
Ｌ２  ：  １２／２１／１２／１０／０１／１０
Ｌ３  ：  ３３／２２／３３／１１／２２／１１
Ｌ４  ：  ３３／１１／２２／００／２２／１１
Ｌ５  ：  ２２／１１／２２／００／１１／００
【０１１５】
このような第２編成条件で編成された領域は、第２の地筬Ｌ３によって編成される領域と、第３の地筬Ｌ４によって編成される領域とを有する。第２の地筬Ｌ３によって編成される領域では、第２の地筬Ｌ３によって編成される挿入組織は２針振りの組織であり、第４の地筬Ｌ５によって編成される挿入組織は２針振りの組織である。したがって、この領域はメッシュ領域となる。第３の地筬Ｌ４によって編成される領域では、第３の地筬Ｌ４によって編成される挿入組織は３針振りの組織であり、第４の地筬Ｌ５によって編成される挿入組織は２針振りの組織である。したがって、この領域はサテン領域となる。
【０１１６】
以下、図１６〜図１９を参照して、前述の各実施例に使用されるモチーフを示す。
図１６は、第１および第３実施例に使用されるモチーフ１６を示す図である。図１６に示すモチーフ１６では、サテン領域１２ａおよびメッシュ領域１２ｂによって縞模様が表現され、しかもサテン領域１２ａおよびメッシュ領域１２ｂのうちで、サテン領域１２ａに柄模様６２が表現される。柄模様６２は、サテン領域１２ａおよびメッシュ領域１２ｂのうちで、メッシュ領域１２ｂに表現されてもよい。
【０１１７】
図１７は、第２実施例に使用されるモチーフ６３を示す図である。図１７に示すモチーフ６３では、サテン領域１２ａおよびメッシュ領域１２ｂによって縞模様が表現され、しかもサテン領域１２ａおよびメッシュ領域１２ｂにわたって柄模様６４が表現される。
【０１１８】
図１８は、第４実施例に使用されるモチーフ６５を示す図である。図１８に示すモチーフ６５では、サテン領域１２ａおよびメッシュ領域１２ｂによって市松模様が表現され、しかもサテン領域１２ａおよびメッシュ領域１２ｂに柄模様６６が選択的に表現される。
【０１１９】
図１９は、第５実施例に使用されるモチーフ６７を示す図である。図１９に示すモチーフ６７では、サテン領域１２ａおよびメッシュ領域１２ｂによって市松模様が表現され、しかもサテン領域１２ａおよびメッシュ領域１２ｂにわたって柄模様６８が表現される。
【０１２０】
前述の各実施例は例示に過ぎず、本考案の範囲内で変更することができる。たとえば、ラッシェル編機の編成条件は、３つ以上の編成条件に切り換えられてもよい。この場合でも、各編成条件を継続する各コース数は、互いに同一であってもよく、あるいは、異なっていてもよい。
【０１２１】
以下に、他の実施例として、第６〜第７実施例を簡単に説明する。
［第６実施例］
本実施例では、ジャカード編機の編成条件が、３つの編成条件に順次に繰り返して切り換えられる。
【０１２２】
各分割式ジャカード筬Ｊ−１，Ｊ−２には、柄組織用の非弾性糸が通糸される。第１の地筬Ｌ２には、地組織用の第１の非弾性糸が１イン１アウトで通糸される。第２の地筬Ｌ３には、地組織用の第１の非弾性糸に対して１ウェール分ずれるように、地組織用の第２の非弾性糸が１イン１アウトで通糸される。第３の地筬Ｌ４には、挿入組織用の第１の弾性糸がフルセットで通糸される。第４の地筬Ｌ５には、挿入組織用の第２の弾性糸がフルセットで通糸される。このような本実施例では、第３および第４の地筬Ｌ４，Ｌ５によって、ループに対して弾性糸が挿入される。
【０１２３】
第１編成条件では、各筬による編成組織は、以下のように表される。
Ｊ  ：  １２／１０／１２／１０／１２／１０
Ｌ２  ：  ２１／２３／２１／１２／１０／１２
Ｌ３  ：  ２１／２３／２１／１２／１０／１２
Ｌ４  ：  １１／３３／１１／２２／００／２２
Ｌ５  ：  １１／３３／１１／２２／００／２２
【０１２４】
このような第１編成条件で編成された領域は、第３の地筬Ｌ４によって編成される挿入組織は３針振りの組織であり、第４の地筬Ｌ５によって編成される挿入組織は３針振りの組織である。したがって、この領域はサテン領域となる。
【０１２５】
第２編成条件では、各筬による編成組織は、以下のように表される。
Ｊ  ：  ０１／１０／０１／１０／０１／１０
Ｌ２  ：  ２１／１２／１０／０１／１０／１２
Ｌ３  ：  ２１／１２／１０／０１／１０／１２
Ｌ４  ：  １１／２２／００／２２／１１／３３
Ｌ５  ：  ００／１１／００／２２／１１／２２
【０１２６】
このような第２編成条件で編成された領域は、第３の地筬Ｌ４によって編成される挿入組織は３針振りの組織であり、第４の地筬Ｌ５によって編成される挿入組織は２針振りの組織である。したがって、この領域は、サテン領域となり、しかも第１編成条件で編成された領域よりも薄くなる。
【０１２７】
第３編成条件では、各筬による編成組織は、以下のように表される。
Ｊ  ：  １２／１０／１２／１０／１２／１０
Ｌ２  ：  ２１／２３／２１／１２／１０／１２
Ｌ３  ：  １２／１０／１２／２１／２３／２１
Ｌ４  ：  １１／２２／１１／２２／１１／２２
Ｌ５  ：  １１／２２／１１／２２／１１／２２
【０１２８】
このような第３編成条件で編成された領域は、第３の地筬Ｌ４によって編成される挿入組織は１針振りの組織であり、第４の地筬Ｌ５によって編成される挿入組織は１針振りの組織である。したがって、この領域は、メッシュ領域となる。
【０１２９】
［第７実施例］
本実施例では、ジャカード編機の編成条件が、５つの編成条件に順次に繰り返して切り換えられる。
【０１３０】
各分割式ジャカード筬Ｊ−１，Ｊ−２には、柄組織用の非弾性糸が通糸される。第１の地筬Ｌ２には、地組織用の非弾性糸がフルセットで通糸される。第２の地筬Ｌ３には、挿入組織用の第１の弾性糸がフルセットで通糸される。第３の地筬Ｌ４には、挿入組織用の第２の弾性糸がフルセットで通糸される。このような本実施例では、第２および第３の地筬Ｌ３，Ｌ４によって、ループに対して弾性糸が挿入される。
【０１３１】
第１編成条件では、各筬による編成組織は、以下のように表される。
Ｊ  ：  ２１／１２／２１／１２／２１／１２
Ｌ２  ：  １２／２１／１２／１０／０１／１０
Ｌ３  ：  ２２／００／１１／００／２２／１１
Ｌ４  ：  ３３／１１／２２／００／２２／１１
【０１３２】
このような第１編成条件で編成された領域は、第２の地筬Ｌ３によって編成される挿入組織は２針振りの組織であり、第３の地筬Ｌ４によって編成される挿入組織は３針振りの組織である。したがって、この領域はサテン領域となる。
【０１３３】
第２編成条件では、各筬による編成組織は、以下のように表される。
Ｊ  ：  １０／１２／１０／１２／１０／１２
Ｌ２  ：  １２／２１／１２／２１／１２／２１
Ｌ３  ：  ２２／１１／２２／１１／２２／１１
Ｌ４  ：  ２２／１１／２２／１１／２２／１１
【０１３４】
このような第２編成条件で編成された領域は、第２の地筬Ｌ３によって編成される挿入組織は１針振りの組織であり、第３の地筬Ｌ４によって編成される挿入組織は１針振りの組織である。したがって、この領域はメッシュ領域となる。
【０１３５】
第３編成条件では、各筬による編成組織は、以下のように表される。
Ｊ  ：  １０／１２／１０／１２／１０／１２
Ｌ２  ：  ２３／２１／１２／１０／１２／２１
Ｌ３  ：  ３３／１１／２２／００／２２／１１
Ｌ４  ：  ３３／１１／２２／００／２２／１１
【０１３６】
このような第３編成条件で編成された組織は、第２の地筬Ｌ３によって編成される挿入組織は３針振りの組織であり、第３の地筬Ｌ４によって編成される挿入組織は３針振りの組織である。したがって、この領域はサテン領域となり、しかも第１編成条件で編成された領域よりも厚くなる。
【０１３７】
第４編成条件では、各筬による編成組織は、以下のように表される。
Ｊ  ：  ２１／１２／２１／１２／２１／１２
Ｌ２  ：  １２／２１／１２／１０／０１／１０
Ｌ３  ：  ３３／２２／３３／１１／２２／１１
Ｌ４  ：  ３３／２２／３３／１１／２２／１１
【０１３８】
このような第４編成条件で編成された組織は、第２の地筬Ｌ３によって編成される挿入組織は２針振りの組織であり、第３の地筬Ｌ４によって編成される挿入組織は２針振りの組織である。したがって、この領域はメッシュ領域となり、しかも第２編成条件で編成された領域よりも厚くなる。
【０１３９】
第５編成条件では、各筬による編成組織は、以下のように表される。
Ｊ  ：  ２１／１２／２１／１２／２１／１２
Ｌ２  ：  １２／２１／１２／１０／０１／１０
Ｌ３  ：  ３３／１１／２２／００／２２／１１
Ｌ４  ：  ３３／２２／３３／１１／２２／１１
【０１４０】
このような第５編成条件で編成された組織は、第２の地筬Ｌ３によって編成される挿入組織は３針振りの組織であり、第３の地筬Ｌ４によって編成される挿入組織は２針振りの組織である。したがって、この領域はサテン領域となり、しかも第１編成条件で編成された領域と同等の厚さとなる。
【０１４１】
［第８実施例］
図２０は、第８実施例の経編地の一部を構成する地編地を模式的に示す図である。本実施例は、前述の第４実施例に類似する。本実施例では、ジャカード編機の編成条件が、４つの編成条件に順次に繰り返して切り換えられる点で、前述の第４実施例とは異なる。
【０１４２】
各分割式ジャカード筬Ｊ−１，Ｊ−２には、柄組織用の非弾性糸が通糸される。第１の地筬Ｌ２には、地組織用の第１の非弾性糸が選択的に通糸される。第２の地筬Ｌ３には、地組織用の第２の非弾性糸が選択的に通糸される。第３の地筬Ｌ４には、挿入組織用の第１の弾性糸が選択的に通糸される。第４の地筬Ｌ５には、挿入組織用の第２の弾性糸が選択的に通糸される。このような本実施例では、第３および第４の地筬Ｌ４，Ｌ５によって、ループに対して弾性糸が挿入される。
【０１４３】
第１編成条件では、各筬による編成組織は、以下のように表される。
Ｊ  ：  １０／１２／１０／１２／１０／１２
Ｌ２  ：  ２３／２１／１２／１０／１２／２１
Ｌ３  ：  １２／２１／１２／２１／１２／２１
Ｌ４  ：  ３３／１１／２２／００／２２／１１
Ｌ５  ：  ２２／１１／２２／１１／２２／１１
【０１４４】
このような第１編成条件で編成された領域のうちで、第１および第３の地筬Ｌ２，Ｌ４によって編成される領域では、第３の地筬Ｌ４によって編成される挿入組織は３針振りの組織である。したがって、この領域はサテン領域Ａとなる。また第２および第４の地筬Ｌ３，Ｌ５によって編成される領域では、第４の地筬Ｌ５によって編成される挿入組織は１針振りの組織である。したがって、この領域は第１のメッシュ領域Ｂ１となる。
【０１４５】
第２編成条件では、各筬による編成組織は、以下のように表される。
Ｊ  ：  １０／１２／１０／１２／１０／１２
Ｌ２  ：  １２／２１／１２／２１／１２／２１
Ｌ３  ：  ２３／２１／１２／１０／１２／２１
Ｌ４  ：  ２２／１１／２２／１１／２２／１１
Ｌ５  ：  ３３／１１／２２／００／２２／１１
【０１４６】
このような第２編成条件で編成された領域のうちで、第１および第３の地筬Ｌ２，Ｌ４によって編成される領域では、第３の地筬Ｌ４によって編成される挿入組織は１針振りの組織である。したがって、この領域は第１のメッシュ領域Ｂ１となる。また第２および第４の地筬Ｌ３，Ｌ５によって編成される領域では、第４の地筬Ｌ５によって編成される挿入組織は３針振りの組織である。したがって、この領域はサテン領域Ａとなる。
【０１４７】
第３編成条件では、各筬による編成組織は、以下のように表される。
Ｊ  ：  １０／１２／１０／１２／１０／１２
Ｌ２  ：  ２３／２１／１２／１０／１２／２１
Ｌ３  ：  ２３／３２／２３／２１／１２／２１
Ｌ４  ：  ３３／１１／２２／００／２２／１１
Ｌ５  ：  ３３／２２／３３／１１／２２／１１
【０１４８】
このような第３編成条件で編成された領域のうちで、第１および第３の地筬Ｌ２，Ｌ４によって編成される領域では、第３の地筬Ｌ４によって編成される挿入組織は３針振りの組織である。したがって、この領域はサテン領域Ａとなる。また第２および第４の地筬Ｌ３，Ｌ５によって編成される領域では、第４の地筬Ｌ５によって編成される挿入組織は２針振りの組織である。したがって、この領域は第１のメッシュ領域Ｂ１よりも厚い第２のメッシュ領域Ｂ２となる。
【０１４９】
第４編成条件では、各筬による編成組織は、以下のように表される。
Ｊ  ：  １０／１２／１０／１２／１０／１２
Ｌ２  ：  ２３／３２／２３／２１／１２／２１
Ｌ３  ：  ２３／２１／１２／１０／１２／２１
Ｌ４  ：  ３３／２２／３３／１１／２２／１１
Ｌ５  ：  ３３／１１／２２／００／２２／１１
【０１５０】
このような第４編成条件で編成された領域のうちで、第１および第３の地筬Ｌ２，Ｌ４によって編成される領域では、第３の地筬Ｌ４によって編成される挿入組織は２針振りの組織である。したがって、この領域は第２のメッシュ領域Ｂ２となる。また第２および第４の地筬Ｌ３，Ｌ５によって編成される領域では、第４の地筬Ｌ５によって編成される挿入組織は３針振りの組織である。したがって、この領域はサテン領域Ａとなる。
【図面の簡単な説明】
【０１５１】
【図１】本考案の実施の第１形態である経編地の一部を構成する地編地１１を模式的に示す図である。
【図２】地組織を説明するための組織図である。
【図３】挿入組織を説明するための組織図である。
【図４】柄組織を説明するための組織図である。
【図５】柄組織を説明するための組織図である。
【図６】本考案の実施の第２形態である経編地の一部を構成する地編地２１を模式的に示す図である。
【図７】地編地２１の各地編領域１２の収縮を示す図である。
【図８】ラッシェル編機が備える編成部３１を示す側面図である。
【図９】ラッシェル編機が備える編成部４１を示す側面図である。
【図１０】第１実施例の経編地を説明するための図である。
【図１１】第２実施例の経編地を説明するための図である。
【図１２】第３実施例の経編地を説明するための図である。
【図１３】第４実施例の経編地を説明するための図である。
【図１４】地編地の一部を拡大して示す組織図である。
【図１５】第５実施例の経編地を説明するための図である。
【図１６】第１および第３実施例に使用されるモチーフ１６を示す図である。
【図１７】第２実施例に使用されるモチーフ６３を示す図である。
【図１８】第４実施例に使用されるモチーフ６５を示す図である。
【図１９】第５実施例に使用されるモチーフ６７を示す図である。
【図２０】第８実施例の経編地の一部を構成する地編地を模式的に示す図である。
【符号の説明】
【０１５２】
１１，２１  地編地
１２  地編領域
１２ａ  サテン領域
１２ｂ  メッシュ領域
３１，４１  編成部
３２  ニードルバー
３３  編み針
３４  導糸手段
３６  トングバー
３７  ステッチコームバー
３８  トリックプレートバー
【図１】
0003136451.tif 000003
【図２】
0003136451.tif 000004
【図３】
0003136451.tif 000005
【図４】
0003136451.tif 000006
【図５】
0003136451.tif 000007
【図６】
0003136451.tif 000008
【図８】
0003136451.tif 000009
【図９】
0003136451.tif 000010
【図１０】
0003136451.tif 000011
【図１１】
0003136451.tif 000012
【図１２】
0003136451.tif 000013
【図１３】
0003136451.tif 000014
【図１４】
0003136451.tif 000015
【図１５】
0003136451.tif 000016
【図２０】
0003136451.tif 000017
【図７】
0003136451.tif 000018
【図１６】
0003136451.tif 000019
【図１７】
0003136451.tif 000020
【図１８】
0003136451.tif 000021
【図１９】
0003136451.tif 000022